(57)【要約】【課題】共通の信号系で放電灯の点灯／消灯、調光と、調光を行うための信号と放電灯を駆動させる信号パルスの極性反転に同期させた点灯装置の実現を図る。【解決手段】電源１１の直流電圧をＤＣ／ＤＣコンバータ１２にて降圧し、ＤＣ／ＡＣインバータ１５に供給する。インバータ１５は入力された直流電圧を交流電圧に変換し、ランプ始動回路１６で高圧電圧を発生させて高圧放電灯１７に供給し、高圧放電灯１７を点灯する。制御回路２０はコンバータ１２を駆動するスイッチング信号ａとインバータ１５のスイッチ素子ＳＷ１，ＳＷ２とＳＷ３，ＳＷ４を交互にオンオフさせるため駆動信号ｄをそれぞれ生成する。スイッチング信号ａはインターフェース回路１９に供給される制御信号ＳＣＩのデューティに基づき、駆動信号ｄは制御信号ＳＣＩの立ち上がりに基づくタイミングでそれぞれ生成する。制御信号ＳＣＩは放電灯１７の点灯、消灯、調光等の情報を含んでいる。【選択図】図１
2008300052.tif 000002
【特許請求の範囲】
【請求項１】
スイッチング信号に基づき入力直流電圧を昇圧または降圧させ、所望の直流電圧および電力に変換して出力するＤＣ／ＤＣコンバータと、
前記直流電圧を交流電圧に変換し、高圧放電灯に投入するＤＣ／ＡＣインバータと、
前記放電灯始動時に、該放電灯に高電圧を印加するランプ始動回路と、
前記スイッチング信号を生成するとともに、該スイッチング信号のデューティを可変し、前記放電灯の調光制御を行う制御回路と、を具備し、
前記制御回路は、該制御回路に供給される制御信号のデューティに基づき、前記スイッチング信号のデューティを可変させるとともに、前記ＤＣ／ＡＣインバータを駆動させる駆動信号を前記制御信号の立ち下がりまたは立ち上がりに同期させたことを特徴する放電灯点灯装置。
【請求項２】
前記制御信号が予め設定された時間以上ＬｏレベルまたはＨｉレベルにある場合は、前記放電灯を停止することを特徴とする請求項１記載の放電灯点灯装置。
【請求項３】
前記制御信号のデューティを変更することで、前記スイッチング信号のデューティを変更させ、前記放電灯の調光を行うことを特徴とする請求項１記載の放電灯点灯装置。
【請求項４】
前記制御信号には、前記スイッチング信号のデューティを可変して調光するための情報、前記ＤＣ／ＡＣインバータで交流電圧に変換させる駆動信号の情報、前記放電灯を点灯、消灯させる情報を備えてなることを特徴とする請求項１記載の放電灯点灯装置。
【請求項５】
請求項１〜４の何れかの放電灯点灯装置と、
前記放電灯を光源とし、該光源から放射される光に基づき、色分離した各画像を切り換えて表示するＤＬＰ方式の画像投影装置本体と、を具備したことを特徴とする画像投影装置。
【発明の詳細な説明】
【技術分野】
【０００１】
この発明は、放電灯に調光機能を持たせて点灯させる放電灯点灯装置およびこれを用いた画像投影装置に関する。
【背景技術】
【０００２】
従来の調光型放電灯点灯装置は、交流電源を電源とし、ホトカプラを介して外部制御信号を受信し、放電灯を調光させる場合は、外部制御信号の正パルス幅を固定し、パルス信号の周期を変えることにより、外部制御信号の正パルスのデューティ比を変化させるようにして放電灯の調光を行っている。外部制御信号には、放電灯の点灯／消灯と調光の２機能の情報を備えている。（例えば、特許文献１）
【特許文献１】特開２００４−３４９２３１公報
【発明の開示】
【発明が解決しようとする課題】
【０００３】
上記した特許文献１の技術は、放電灯の点灯／消灯および調光の２機能を有しているのみであり、放電灯を時分割色分離後に画像形成させる場合には、色信号の切り換えと放電灯の駆動パルス信号との同期をさせた方が画像再現性および光利用効率上有利であり、これには別構成の同期手段が必要であった。
【０００４】
この発明の目的は、放電灯の始動、停止、調光を図るとともに、調光を行うための信号と放電灯を駆動させる信号パルスの極性反転に同期を共通の信号系で可能とした放電灯点灯装置およびこの装置を用いた画像投影装置を提供することにある。
【課題を解決するための手段】
【０００５】
上記した課題を解決するために、この発明の放電灯点灯装置は、スイッチング信号に基づき入力直流電圧を昇圧または降圧させ、所望の直流電圧および電力に変換して出力するＤＣ／ＤＣコンバータと、前記直流電圧を交流電圧に変換し、高圧放電灯に投入するＤＣ／ＡＣインバータと、前記放電灯始動時に、該放電灯に高電圧を印加するランプ始動回路と、前記スイッチング信号を生成するとともに、該スイッチング信号のデューティを可変し、前記放電灯の調光制御を行う制御回路と、を具備し、前記制御回路は、該制御回路に供給される制御信号のデューティに基づき、前記スイッチング信号のデューティを可変させるとともに、前記ＤＣ／ＡＣインバータを駆動させる駆動信号を前記制御信号の立ち下がりまたは立ち上がりに同期させたことを特徴する。
【発明の効果】
【０００６】
この発明の放電灯点灯装置では、放電灯の始動、停止それに調光を図るとともに、調光を行うための信号と放電灯を駆動させる信号パルスの極性反転に同期させることが可能となる。
【発明を実施するための最良の形態】
【０００７】
以下、この発明を実施するための最良の形態について、図面を参照しながら詳細に説明する。
【０００８】
図１、図２は、この発明の放電灯点灯装置に関する第１の一実施形態について説明するための、図１は回路構成図で、図２は図１要部の具体的な回路図である。  
図１において、１１は直流電源であり、この電源１１の直流電圧を降圧させるＤＣ／ＤＣコンバータ１２に供給する。ＤＣ／ＤＣコンバータ１２は、電源１１の正極から例えばＭＯＳ型ＦＥＴトランジスタによるスイッチ素子ＳＷを介してチョークコイルＬの一端とアノードが接地されたダイオードＤのカソードにそれぞれ接続する。コイルＬの他端は平滑用コンデンサＣ１を介して接地するとともに、ランプ電圧検出部１３を介して接地する。ランプ電圧検出部１３の接地側とコンデンサＣ１の接地側との間にランプ電流検出部１４を介在させる。
【０００９】
ＤＣ／ＤＣコンバータ１２の出力は、ＤＣ／ＤＣコンバータ１２から出力される直流電圧を交流電圧に変換するＤＣ／ＡＣインバータ１５を構成する例えばＭＯＳ型ＦＥＴトランジスタによるスイッチ素子ＳＷ１〜ＳＷ４を組み合わせたフルブリッジのスイッチ素子ＳＷ１，ＳＷ４に接続する。スイッチ素子ＳＷ１はスイッチ素子ＳＷ３を介して接地し、スイッチ素子ＳＷ４はスイッチ素子ＳＷ２を介して接地する。スイッチ素子ＳＷ１，ＳＷ３の接続点とスイッチ素子ＳＷ３，ＳＷ２の接続点間には、振動波形形成および電流制限のためのコンデンサＣ２を介挿接続する。スイッチ素子ＳＷ１とＳＷ２は同時にオン／オフし、スイッチ素子ＳＷ３とＳＷ４は同時にオン／オフするが、極性反転信号によりそれぞれ逆にオン／オフ動作が行われる。
【００１０】
コンデンサＣ２の両端は、ランプ点灯時に高圧パルス電圧を発生させるランプ始動回路１６に接続し、ランプ始動回路１６の出力を高圧放電灯１７に供給する。
【００１１】
入力端子１８には制御信号ＳＣＩが入力され、この制御信号ＳＣＩはインターフェース回路１９に入力する。制御信号ＳＣＩは、デューティを異ならせることで調光用パルスとなるばかりか、放電灯１７の点灯、消灯の制御信号ともなる。インターフェース回路１９では、入力された制御信号ＳＣＩに基づき、制御信号ＳＣＩの他に、制御信号ＳＣＩのデューティに基づいた直流電圧を制御信号ＣＬとして導出し、制御回路２０に供給する。
【００１２】
さらに、制御回路２０にはＤＣ／ＤＣコンバータ１２のランプ電圧検出部１３の電圧検出信号ｂとランプ電流検出部１４の電流検出信号ｃがそれぞれ供給される。
【００１３】
図２はインターフェース回路１９の具体的な回路例を示すものである。図２において、インターフェース回路１９は、入力端子１８に入力された制御信号ＳＣＩを、ホトカプラＰＨを介してスイッチングを行い、ホトカプラＰＨの出力からインターフェース回路１９の出力から制御信号ＳＣＩ’を制御回路２０に供給する。それにインターフェース回路１９の抵抗Ｒ１およびコンデンサＣ３の接続点から制御信号ＳＣＩ’のデューティに基づき得られる直流電圧を、放電灯１７の電力を制御する制御信号ＣＬとして制御回路２０に供給する。
【００１４】
制御回路２０では、制御信号ＣＬの直流電圧に基づいたデューティのスイッチング信号ａと制御信号ＳＣＩ’の立ち上がりにオン／オフ動作が同期する駆動パルスｄをそれぞれ生成して出力する。スイッチング信号ａはＤＣ／ＤＣコンバータ１２のスイッチ素子ＳＷをオン／オフさせ、駆動パルスｄはＤＣ／ＡＣインバータ１５のスイッチ素子ＳＷ１〜ＳＷ４を駆動する。
【００１５】
次に、図１の動作について、図３および図４のタイミングチャートを参照しながら説明する。
【００１６】
先ず、消灯状態の放電灯１７を始動し予熱点灯させる場合について説明する。インターフェース回路１９に、制御信号ＳＣＩが供給されるとインターフェース回路１９では、制御信号ＳＣＩ’と制御信号ＣＬを制御回路２０に出力を開始する。制御回路２０は、例えば予め制御回路２０に記憶されたテーブル情報に基づくデューティの図４（ａ）に示すスイッチング信号ａを生成し、ＤＣ／ＤＣコンバータ１２のスイッチ素子ＳＷを駆動する。また、図４（ｄ）に示すように制御回路２０は、例えば２秒間だけ１７ｋＨｚ程度の始動・予熱点灯期間Ｈｆの駆動パルスｄでスイッチ素子ＳＷ１〜ＳＷ４を駆動し、駆動パルスｄが始動・予熱点灯期間Ｈｆにおいて、スイッチ素子ＳＷ１，ＳＷ２をＨｉレベルのときにオン、Ｌｏレベルのときにオフさせ、スイッチ素子ＳＷ３，ＳＷ４をＬｏレベルのときにオン、Ｈｉレベルのときにオフさせる。
【００１７】
ＤＣ／ＤＣコンバータ１２では、スイッチング信号ａに基づきスイッチ素子ＳＷをオン／オフさせて電源１１の直流電圧を、スイッチング信号ａのデューティに基づく直流電圧および直流電力に変換し、ＤＣ／ＡＣインバータ１５に出力する。
【００１８】
ＤＣ／ＡＣインバータ１５に入力された直流電圧は、始動・予熱点灯期間Ｈｆの駆動パルスｄでスイッチ素子ＳＷ１，ＳＷ２およびＳＷ３，ＳＷ４を交互にオン／オフさせることによって、この期間のランプ始動回路１６は放電灯１７に高圧パルス電圧を供給する。放電灯１７は高圧パルス電圧により放電灯１７を構成する電極間の絶縁が破壊されて点灯が開始し、予熱動作に移行する。なお、この期間、ランプ電力が少ないと定電圧制御、大きいと定電力制御となる。
【００１９】
次に、通常点灯時とこの状態からの消灯それに通常点灯時の調光について説明する。
【００２０】
先ず、図３（ｔａ）に示すデューティ８０％の制御信号ＳＣＩが入力端子１８に供給された場合を考える。インターフェース回路１９では制御信号ＳＣＩ’とデューティ８０％に基づく直流電圧の制御信号ＣＬを制御回路２０に出力する。制御回路２０は、制御信号ＣＬの直流電圧値に基づくデューティのスイッチング信号ａを生成し、スイッチ素子ＳＷをスイッチングする。ＤＣ／ＤＣコンバータ１２では、電源１１の直流電圧をスイッチング信号ａのデューティに基づく直流電力に変換し、ＤＣ／ＡＣインバータ１５に出力する。
【００２１】
ＤＣ／ＡＣインバータ１５に入力された直流電力は、比較的低い例えば９０Ｈｚ程度の通常点灯期間Ｌｆの駆動パルスｄでスイッチ素子ＳＷ１，ＳＷ２およびＳＷ３，ＳＷ４を交互にオン／オフさせて、放電灯１７の出力電力を、例えば１００Ｗになるように制御を行っている。このとき制御回路２０は、電圧検出信号ｂ２と電流検出信号ｃ２と制御信号ＳＣＩ’の情報に基づき放電灯１７の電力が１００Ｗになるようなフィードバック制御が行われる。
【００２２】
通常点灯期間Ｌｆの駆動パルスｄは、図３（ｄ）にも示すように、制御信号ＳＣＩ’の立ち上がりに同期してオン／オフするパルスとなっている。
【００２３】
放電灯１７を消灯させる場合は、制御信号ＳＣＩ’のＬｏレベルの期間が例えば５msec以上続けば、制御回路２０は消灯の信号が入力されたとして駆動パルスｄなどの出力を停止させることで可能となる。
【００２４】
通常点灯の状態において調光を行う場合は、図３（ｔｂ）に示すデューティが５０％の制御信号ＳＣＩがインターフェース回路１９に入力されると、制御回路２０には、制御信号ＳＣＩ’と制御信号ＳＣＩ’のデューティに基づいた直流電力の制御信号ＣＬを制御回路２０に出力する。制御回路２０は、制御信号ＣＬの直流電圧値に基づくデューティのスイッチング信号ａを生成し、スイッチ素子ＳＷをスイッチングする。ＤＣ／ＤＣコンバータ１２では、スイッチング信号ａのデューティに基づく直流電力に変換し、ＤＣ／ＡＣインバータ１５に出力する。
【００２５】
このときの直流電力は、デューティ８０％のときよりも低い値となる。ＤＣ／ＡＣインバータ１５を駆動する駆動信号ｄは、図３（ｄ）にも示すように制御信号ＳＣＩの立ち上がりに同期してオン／オフするパルスであり、デューティ８０％の制御信号ＳＣＩの場合と同パルスである。従って、放電灯１７の出力電力を例えば８０Ｗとなる調光が可能となる。
【００２６】
同様に、図３（ｔｃ）に示すデューティが２０％の制御信号ＳＣＩがインターフェース回路１９に入力された場合は、ＤＣ／ＡＣインバータ１５に供給される直流電力値が下がる。ＤＣ／ＡＣインバータ１５を駆動する駆動信号ｄは、図３（ｄ）にも示すように制御信号ＳＣＩの立ち上がりに同期してオン／オフするパルスであり、デューティ８０％や５０％の制御信号ＳＣＩの場合と同パルスである。デューティが２０％の制御信号ＳＣＩでは、放電灯１７の出力電力を例えば５０Ｗにすることができる。
【００２７】
このように、制御信号ＳＣＩは放電灯１７の点灯始動や停止の他に、デューティを変更することで放電灯１７の調光も可能となる。
【００２８】
なお、上記した各実施形態において、図３（ｔａ）〜（ｔｃ）示す制御信号ＳＣＩではデューティ１００％は示されていない、当然のことながら、調光しない状態下では制御信号ＳＣＩがデューティ１００％とすることもできる。調光をどの状態にするかは任意設定できる。また、調光量および点灯周波数も任意に変更可能である。
【００２９】
さらに、放電灯を停止させる場合、制御信号ＳＣＩが例えば５msec以上Ｌｏレベルにある場合としたが、Ｈｉレベルにある場合としても構わない。
【００３０】
図５は、この発明の放電灯点灯装置に関する第２の実施形態について説明するための、図２に相当する回路図である。
【００３１】
この実施形態は、ホトカプラＰＨを介して入力された制御信号ＳＣＩ’と同様の情報を、制御回路２０に供給するようにしたものである。
【００３２】
インターフェース回路１９のホトカプラＰＨのエミッタから制御信号ＳＣＩ’と制御信号ＣＬを取り出し制御回路２０に供給する。すなわち、制御信号ＣＬは、制御信号ＳＣＩ’と同信号である。制御回路２０では、制御信号ＣＬの異なるデューティに基づくスイッチング信号ａでＤＣ／ＤＣコンバータ１２のスイッチ素子ＳＷを制御したものである。この場合は、異なるデューティをアナログ信号としたかパルス信号にしたかの違いだけで動作としては上記実施形態と同様である。
【００３３】
上記した各実施形態では、ＤＣ／ＡＣインバータ１５を構成するスイッチ素子ＳＷ１〜ＳＷ４はフルブリッジとしたが、ハーフブリッジでも構わない。放電灯１７の点灯の状態を検出する情報としては、電圧あるいは電流検出の何れか一方に入力でも構わない。
【００３４】
この実施形態では、上記した実施形態と同様の効果に加え、インターフェース回路１９を介して制御回路２０に供給される信号としては、アナログ信号がないことから制御回路２０の構成がアナログ値をデジタル値に変換する手段が不要となる。
【００３５】
図６、図７は、この発明の放電灯点灯装置に関する第３の実施形態について説明するためのフローチャートである。この実施形態は、制御回路２０をマイクロコンピュータプログラムの処理によって実現したものである。以下、図１、図３、図４も参照しながら、図６、図７についてそれぞれ説明する。
【００３６】
先ず、図６のフローチャートを参照し、停止（消灯）状態から放電灯を点灯させる場合の処理について説明する。
【００３７】
停止（消灯）状態時の制御回路２０は、インターフェース回路１９から図２の制御信号ＳＣＩが供給されたかを判断する（Ｓ１）。制御信号ＳＣＩ’の供給があれば、予め制御回路２０に記憶されたテーブル情報とランプ電圧検出信号ｂとそれにランプ電流検出信号ｃに基づく図４（ａ）に示すデューティのスイッチング信号ａを生成し、ＤＣ／ＤＣコンバータ１２のスイッチ素子ＳＷを駆動する（Ｓ２）。ＤＣ／ＤＣコンバータ１２は、スイッチング信号ａに基づいた直流電圧および直流電力をＤＣ／ＡＣインバータ１５に供給する。この間、始動予熱点灯期間に、例えば２秒間だけ１７ｋＨｚ程度の始動・予熱点灯期間Ｈｆの駆動パルスｄでスイッチ素子ＳＷ１，ＳＷ２とスイッチ素子ＳＷ３，ＳＷ４を交互にスイッチングする。ＤＣ／ＡＣインバータ１５では、このスイッチング動作で交流電圧に変換し、ランプ始動回路１６に供給する（Ｓ３）。ランプ始動回路１６では、始動・予熱点灯期間Ｈｆの駆動パルスｄに基づいた放電灯１７に高圧パルス電圧を供給する。放電灯１７は高圧パルス電圧により放電灯１７を構成する電極間の絶縁が破壊されて点灯が開始する。
【００３８】
点灯後に制御回路２０は、ＤＣ／ＡＣインバータ１５に入力された直流電圧を比較的低い例えば９０Ｈｚ程度の通常点灯期間Ｌｆの駆動パルスｄを出力し（Ｓ４）、スイッチ素子ＳＷ１，ＳＷ２およびＳＷ３，ＳＷ４を交互にオン／オフさせて、放電灯１７の出力電力を、例えば１００Ｗになるように制御を行っている。このとき制御回路２０は、電圧検出信号ｂ２と電流検出信号ｃ２と制御信号ＳＣＩ’の情報に基づき放電灯１７の電力が例えば１００Ｗになるようなフィードバック制御が行われる。
【００３９】
次に、図７のフローチャートを参照し、図６の処理で点灯された放電灯の消灯の処理についてと調光の処理について説明する。
【００４０】
図６の処理により放電灯１７が点灯されている状態にある。そこで、インターフェース回路１９に供給される制御信号ＳＣＩのデューティを１００％から８０％にすると、インターフェース回路１９では、デューティ８０％の制御信号ＳＣＩとこの制御信号ＳＣＩに基づき得られる直流の制御信号ＣＬを生成し制御回路２０に供給する。
【００４１】
通常点灯後に制御回路２０は、制御信号ＳＣＩ’のＬｏレベルが５msec以上続いたかを判断（Ｓ１）する。５msec以上続いた場合は、放電灯１７の点灯を消灯させ、５msec以上続いていない場合は、制御信号ＣＬの値が変更されたかを判断する（Ｓ２）。
【００４２】
ステップＳ２において、変更があったと判断すれば、変更されたデューティ８０％の制御信号ＣＬに基づくデューティのスイッチング信号ａを生成し（Ｓ３）、ＤＣ／ＤＣコンバータ１２のスイッチ素子ＳＷをスイッチングする。ＤＣ／ＤＣコンバータ１２は、スイッチング信号ａに基づいたデューティ１００％の場合よりも低下した新たな直流電力をＤＣ／ＡＣインバータ１５に供給する。このとき制御回路２０は、電圧検出信号ｂ２と電流検出信号ｃ２と制御信号ＳＣＩ’の情報に基づき放電灯１７の電力が例えば８０Ｗになるようなフィードバック制御が行われる。これにより、制御信号ＳＣＩのデューティ１００％では１００Ｗあった電力を８０Ｗに下げ、放電灯１７の調光が可能となる。この間に、制御回路２０は、ＤＣ／ＡＣインバータ１５に低い９０Ｈｚ程度の通常時点灯期間Ｌｆの駆動パルスｄを出力し（Ｓ４）、スイッチ素子ＳＷ１，ＳＷ２およびＳＷ３，ＳＷ４を交互にオン／オフさせる。
【００４３】
制御回路２０は、調光時においても制御信号ＳＣＩのＬｏレベルが５msec以上続いたかを判断し（Ｓ１）、５msec以上続いた状態になれば消灯の命令がされたと判断し、放電灯１７を消灯させることができる。
【００４４】
このように、プログラム処理によっても、制御信号ＳＣＩの情報に基づき放電灯の点灯、消灯、調光に加え、交流点灯の放電灯を制御信号ＳＣＩの立ち上がりのタイミングに同期させた点灯も実現させることができる。
【００４５】
図８は、この発明の画像投影装置に関する一実施形態について説明するための概略的な構成図である。図８の画像投影装置は、ＤＬＰ（登録商標）（Digital Light Processing）方式によるプロジェクタの構成を示している。
【００４６】
プロジェクタ装置１００は、円板状のカラーホイール１０１がモータの回転部に取り付けられたカラーホイールアッセンブリ１０２、カラーホイール１０１に向け、放電灯点灯装置２００により点灯される放電灯１７の光をリフレクタ１０３で反射させ照射する。カラーホイール１０１を透過させた光を反射するデジタルマイクロミラーデバイス１０４からの光をスクリーン１０５に投射する投射光学部１０６を備える。
【００４７】
カラーホイール１０１は周方向に関して、例えば、１２０度ずつに分割された３つの色領域がそれぞれＲ（赤）、Ｇ（緑）、Ｂ（青）の周波数帯の光を透過するフィルタとされ、モータにより毎分１０，０００回転程度で回転させる。デジタルマイクロミラーデバイス１０４は、微細な多数個の姿勢変更可能な反射ミラーが２次元に配列して設けられる。カラーホイール１０１からＲ・Ｇ・Ｂのいずれか順次出射される光は、集光レンズ１０８を介してデジタルマイクロミラーデバイス１０４の各反射ミラーへと導かれ、各反射ミラーの姿勢に応じて投射光学部１０６また投射光学部１０６とは異なる所定の位置に向けて反射され、投射光学部１０６へと入射する光のみがスクリーン１０５に投射される。
【００４８】
このとき、外部から入力される信号に基づいてデジタルマイクロミラーデバイス１０４がカラーホイール１０１の回転角に同期して制御され、各反射ミラーの姿勢が高速に変更される。これにより、プロジェクタ装置１００では入力信号に応じてＲ画像、Ｇ画像およびＢ画像が高速に切り換えられ、スクリーン１０５上にカラーの動画が映し出される。
【００４９】
カラーホイール１０１の回転角に同期させる信号として放電灯点灯装置２００のＤＣ／ＡＣインバータを駆動させる駆動信号ｄとしている。
【００５０】
この実施形態によれば、放電灯の調光を行うための信号と放電灯を駆動させる信号パルスの極性反転に同期させる放電灯点灯装置を用いたことにより、ＤＬＰ方式によるプロジェクタのミクロンサイズの超微小なデジタルマイクロミラーデバイスの角度の切り換えとＲ・Ｇ・Ｂの切り換えを、放電灯を駆動させる駆動パルスと同期させたことから画像の再現性および光利用効率向上に寄与する。
【００５１】
この実施形態では、Ｒ、Ｇ、Ｂの画像を切り換えとしたが、色分離された画像の切り換えであっても構わない。
【図面の簡単な説明】
【００５２】
【図１】この発明のランプ点灯装置に関する第１の実施形態について説明するための回路構成図。
【図２】図１要部のより具体的な一構成例について説明するための構成図。
【図３】図１の動作について説明するための説明図。
【図４】図１の動作について説明するための説明図。
【図５】この発明のランプ点灯装置に関する第２の実施形態について説明するための図２に相当する構成図。
【図６】この発明のランプ点灯装置に関する第３の実施形態について説明するための説明図。
【図７】この発明のランプ点灯装置に関する第３の実施形態について説明するための説明図。
【図８】この発明の画像投影装置に関する一実施形態について説明するための概念図。
【符号の説明】
【００５３】
１１  電源
１２  ＤＣ／ＤＣコンバータ１２
１５  ＤＣ／ＡＣインバータ
１６  ランプ始動回路
１７  放電灯
１９  インターフェース回路
２０  制御回路
ＳＣＩ  制御信号
ＣＬ  制御信号
ａ  スイッチング信号
ｄ  駆動信号
１００  プロジェクタ装置
１０１  カラーホイール
１０２  カラーホイールアッセンブリ
１０３  リフレクタ
１０４  デジタルマイクロミラーデバイス
１０５  スクリーン
１０６  投射光学部
１０８  集光レンズ
２００  放電灯点灯装置
【図１】
2008300052.tif 000003
【図２】
2008300052.tif 000004
【図３】
2008300052.tif 000005
【図４】
2008300052.tif 000006
【図５】
2008300052.tif 000007
【図６】
2008300052.tif 000008
【図７】
2008300052.tif 000009
【図８】
2008300052.tif 000010